(57)【要約】      （修正有）【課題】一枚の情報カードが第三者に渡っても、金銭の引き落とし及び物品購入時の支払いなど、各種サービスの支払いに使われるカードサービスに必要な情報は、渡さずに済むカード犯罪予防のシステムを、コストの掛からない従来の機器を使える方法で提供する。【解決手段】カードサービスに必要な情報を、情報カード二枚に分けることでセキュリティチェクの回数を二回以上に増やすことが出来る。窃盗・盗難等のアクシデントにあっても、情報カード二枚のうち一枚は手元に残るような所持方法を確保することで結果が出る。例え二枚のうち一枚が第三者に渡っても、サービスに必要な情報は１○○パーセントにすることが出来ないのでサービスは受けられない、故に犯罪防止になる。システム全体で機種変更ではなく、情報カード発行時及びカード読み取り時のソフトの変更で対応が可能なため、低コストでカード犯罪の予防を提供できる。【選択図】図３
2007207205.tif 000002
【特許請求の範囲】
【請求項１】
利用者に関する情報を記憶出来る二枚一組の情報カードを、利用者に対して発行する情報カード発行装置。
【請求項２】
請求項１に記載の情報カード発行装置によって発行される二枚一組の情報カードは、二枚合わせて必要且つ十分な情報量１○○パーセントを有するように情報を二分割する。
【請求項３】
請求項１に記載の情報カード発行装置によって、発行される二枚一組の情報カードに入力する情報量は、片一方の情報カードに入力する情報の情報量は０パーセント未満から１００パーセント未満に任意で分配設定できる、そして二枚あわせて１○○パーセントに必要にして且つ十分な情報量を有する。
【請求項４】
請求項１に記載した情報カード発行装置により発行された、二枚を一組にする情報カードの情報を連続して読み取り、且つ入力することが出来るカード情報読取装置県情報入力装置を装備する。
そしてこのカード情報読取装置兼情報入力装置に入力された情報で、利用者を認証して表示する表示装置と出力装置を装備している。
【請求項５】
請求項１に記載の情報カード発行装置により発行された、二枚一組の情報カードで、設定された条件を満たした利用方法で使用されたとき、カード情報読取装置兼情報入力装置が二枚一組のカード情報を読み取り、そのカード情報を入力することにより登録されている二枚一組の情報カードと判定し、その二枚一組の情報カードを所持して利用する人物を特定し且つ、所有者と認証する。
【請求項６】
請求項１に記載の情報カード発行装置は、利用者に二枚一組の情報カードを発行することが出来、その発行された情報カードによるサービスを行う事業体（金融機関及びクレジット会社・其の他）は、利用者が所持する情報カードの情報を読み取るカード情報読取装置及び情報入力装置そして情報管理装置兼出力装置を装備する。
【請求項７】
請求項１に記載の情報カード発行装置によって発行された、二枚一組の情報カード二枚の暗証番号は任意で設定する。
【請求項８】
請求項１に記載の情報カード発行装置によって発行された情報カードは、暗証番号の有無の設定だけで番号の設定をしなくともよい。
【請求項９】
請求項１に記載の情報カード発行装置によって、発行される二枚一組の情報カードをカード情報読取装置兼情報入力装置に読み取らせる順番は随時変更でき、利用者本人が設定を変えることが可能である。
【請求項１０】
利用方法の条件設定により２回から６回のセキュリティチェックの回数を選べる。
【請求項１１】
設定された条件以外で、請求項１に記載の情報カード発行装置により発行された情報カードによる支払いサービス・金銭引き出しサービス、及びその他のサービスを利用したとき、その使用方法全てをエラーとして装置管理者に通知するシステムを有する。
【発明の詳細な説明】
【発明の詳細な説明】
【技術分野】
【０００１】  本発明は情報カード発行者（情報カードによるサービスを行う事業体）が使う情報カード発行装置と前記の情報カード発行装置で発行された、情報カードに入力されている情報を読み取る情報読取装置を組み込んだ情報管理装置兼出力装置に関する。
【背景技術】
【０００２】  今までの情報カードを利用したサービスの内、ＡＴＭ（金銭自動預け払い機）とＣＤ機（現金支払機）及び料金支払いのときに使用する情報カード（クレジットカードを含む）は、どれも情報カード発行者から発行され、カード枚数は一枚、セキュリティチェックは主に暗証番号によってのみ本人確認を行うチェック回数は一回。【０００３】  今まで情報カードを利用するサービスの方法では、カードサービスのセキュリティチェック回数は一回。【０００４】  他の従来技術では、異なる種類のアイテム２種類で個人認証を行うためには、指紋・声紋又は眼の彩光等方式は各種あるが、何れも認証システムの変更など大幅なコストアップは避けられない。
【特許文献１】  ＷＯ２００２／０２５４５７
【発明の開示】
【発明が解決しようとする課題】
【０００５】  従来の情報カードを利用するサービスは、悪意の第三者によって情報カードが窃盗・盗難により所有者の手から第三者に渡り、暗証番号を解読されることによって、悪意の第三者が所有者と同じカードサービスを受けることが出きるシステムの為、情報装置管理者および情報カード所有者が第三者による不正利用を防ぐことは難しかった。【０００６】  従来の情報カードを利用するサービスは、落失・紛失などでも暗証番号を解読することにより、情報カード所有者と同じサービスを受けることが出来るシステムのため、情報装置管理者と情報カード所有者が第三者による不正利用を防ぐことが難しかった。【０００７】  例え本人が不承知でもスキミング等で、カードデーターを読み取り複製情報カードを作成することが出来るために、第三者による不正利用を防ぐことは難しかった。
【課題を解決するための手段】
【０００８】  本発明の目的は、この問題を解決することであり、請求項１及び請求項２と請求項３に記載されている特徴的な情報カード発行システム及び情報入力方式とを実行できる、情報カード読取装置兼情報入力装置及び情報管理装置と出力装置を装備する発明によって達成される。【０００９】  本発明を実行するためには、請求項１及び請求項２と請求項３に記載された、特徴的な情報カード発行装置で情報を２分割した情報カード二枚を、一組の情報カードとして発行する。【００１０】  本発明を実行する情報カードは、請求項１及び請求項２と請求項３に記載された特徴的な情報カード発行装置で発行されたカードで、磁気カードまたはＩＣカード二枚を一組の情報カードとしてサービスを受ける為に必要且つ十分な情報量を満たす。
【発明の効果】
【００１１】  本発明における一対の情報カードは、請求項１及び請求項２と請求項３に記載された特徴的な情報カード発行装置により発行された一対の情報カードは、磁気カード・ＩＣカードなど同種でも別種でもよい。【００１２】  本発明は、情報カード二枚の情報量をあわせて１○○パーセントの状態にして、情報管理装置に読み取らせることによってサービスを享受できる。【００１３】  本発明は、請求項１及び請求項２と請求項３に記載された特徴的情報カード発行装置から発行された一対の情報カードを、二枚揃って第三者にわたることの無いように、情報カードの所有者が工夫をすることです。
例えば、一枚はカードホルダー又は名刺入れに、もう一枚は財布及びセカンドバッグの中へとゆうように、分けて持つことでカード情報が１○○パーセント第三者に渡ることを防ぐことが出来る。
【発明を実施するための最良の形態】
【００１４】  以下に、本発明について図を参照しながら更に説明する。
図面は全て本発明における工程図です。【００１５】  図３は請求項１及び請求項２と請求項３に記載された、本発明の特徴の情報カード発行装置から発行された情報カード二枚、情報カードＡと情報カードＢの情報カードを情報カードＡ・情報カードＢの順番で読み取り機に入力する。
セキュリティのチェック回数はカードＡ・カードＢの暗証番号の２回と情報カード読み取り順番による１回の合計３回になる。【００１６】  図４は図３のうち情報カードＡ・情報カードＢの読み取り順番を情報カードＢ・情報カードＡに入れ替えたもので、セキュリティチェク回数は同じ３回になる。【００１７】  図３・図４の情報カード発行装置は、請求項１及び請求項２と請求項３に記載された本発明の特徴の情報カード発行装置で、この情報カード発行装置から発行された情報カードＡ・情報カードＢの暗証番号設定の有無を任意設定することでセキュリティチェック回数は３回以上に増える。【００１８】  図５・図６は図３・図４の情報カードＢの暗証番号設定無しの工程図で、セキュリティチェック回数３回。【００１９】  図７・図８は本発明の特徴で、必要な情報を情報カード発行装置１で情報カードＡ・情報カードＢの二枚に二分割することにより、一枚が悪意の第三者９に渡り暗証番号を解読されても最終的に情報カード二枚が揃わず、カード情報読取装置に一枚しか読み取らせることが出来ず、結果情報カード内の情報量が足らない為第三者による情報カードの利用を防げる。【００２０】  本発明の効果を出すのは、所有者本人が情報カードＡ・情報カードＢ２枚同時に第三者に移行しない方法で保持する。【００２１】  情報カードが一枚しかなければ、最初のチェック段階で入力エラーとなる。【００２２】  所有者本人が管理所持するアイテムであれば、ひとつは情報カードもうひとつは携帯電話など情報を表示及び出力ができるものであれば、入力装置の変更を伴うが同様の防犯効果を得られる。【００２３】  情報カードの所有者が所有する請求項６に記載された、複数の企業体及び団体が発行したカードのうち、各企業及び団体が発行するカード二枚のどちらか一枚を各企業及び団体共通のカードとすることも可能です。
【産業上の利用可能性】
【００２４】
【図面の簡単な説明】
【００２４】図１から図８全て工程図です。【００２５】  図１は従来タイプの工程図で、この図における情報カード発行装置１３は一枚の情報カードに必要な情報量１００パーセント入力して発行する。
個人認証のチェック回数は暗証番号５の１回クリアで出力装置が稼動する。【００２６】  図２は第三者９に情報カードが渡りスキミングなどで暗証番号を解読される。
故に第三者９は情報カード所有者と同じサービスが受けられる。
【符号の説明】
【００２７】  １  請求項１及び請求項２と請求項３に記載された情報カード発行装置（本発明の特徴で二枚発行タイプ）
２  情報カードＡ
３  情報カードＢ
４  情報読取装置
５  暗証番号入力
６  入力情報管理装置
７  出力装置
８  暗証番号設定なし
９  第三者保有（盗難・窃盗・紛失等）
１０  暗証番号解読
１１  所有者
１２  申し込みサービス履行の拒絶
１３  従来タイプの情報カード発行装置（情報カード発行枚数一枚）
１４  １３によって発行された情報カード
【図１】
2007207205.tif 000003
【図２】
2007207205.tif 000004
【図３】
2007207205.tif 000005
【図４】
2007207205.tif 000006
【図５】
2007207205.tif 000007
【図６】
2007207205.tif 000008
【図７】
2007207205.tif 000009
【図８】
2007207205.tif 000010